(57)【特許請求の範囲】
【請求項１】
大梁及び柱からなる躯体部と、該躯体部に対してそれぞれ固定される壁体、床及び天井とを有し工場にて生産される建物ユニットを用い、該建物ユニットを建物の施工現場に輸送し、該施工現場にて複数の前記建物ユニットにより施工されるユニット式建物について、そのユニット式建物における給水設備の設置方法であって、
前記工場において、前記壁体に設けられた孔部に対して該壁体のユニット内側面に給水用の水栓を取り付け、前記水栓と前記ユニット式建物の施工後に床下空間に設置されるヘッダとを接続可能な長さを有する水配管を用い、該水配管の一端側を前記水栓に接続するとともに、同水配管の他端側である自由端を含む配管非固定部を前記壁体のユニット外側に出しておく第１工程と、
その後、同じく前記工場において、前記水配管の壁外となっている前記配管非固定部を前記壁体のユニット外側面に仮止めする第２工程と、
その後、前記施工現場において、前記仮止めを取り外し、前記水配管の前記自由端を前記ヘッダに連結する第３工程と、を有し、
前記壁体において前記配管非固定部が仮止めされる前記ユニット外側面は、施工後のユニット式建物において、当該壁体を有する建物ユニットの隣りに配置される建物ユニットの壁体と対向する対向面となっており、
前記ユニット式建物を構成する前記建物ユニットは、少なくとも地上において各々分割された複数の立ち上げ部からなる基礎の上に据え付けられており、
前記複数の立ち上げ部は、前記建物ユニットの外周面に沿って所定間隔で並べられることで、前記建物ユニットの下方となる前記床下空間の周縁部に沿って互いに離間して配置され、
前記第３工程では、前記配管非固定部を、隣り合う建物ユニットの対向する壁体同士の間を通してそれら壁体の下方に引き出すとともに、隣り合う前記立ち上げ部の間を通して前記ヘッダが設置される前記床下空間に引き込み、当該ヘッダに連結することを特徴とするユニット式建物における給水設備の設置方法。
【請求項２】
前記壁体は、ユニット内側及びユニット外側となる一対の壁面材と、それら壁面材を連結する下地フレームとを有しており、
前記第１工程では、前記下地フレームに対して継手部材を固定するとともに、前記継手部材を介して前記水配管と前記水栓とを接続することを特徴とする請求項１に記載のユニット式建物における給水設備の設置方法。
【請求項３】
前記第１工程では、前記水配管の前記配管非固定部側を、ユニット外側の前記壁面材に設けられた挿通孔を挿通させることで前記壁体のユニット外側に出しておくとともに、前記挿通孔の内周面と前記水配管の外周面との隙間を断熱材により塞ぐことを特徴とする請求項２に記載のユニット式建物における給水設備の設置方法。
【請求項４】
前記第２工程では、前記水配管の前記配管非固定部側を粘着テープにより仮止めすることを特徴とする請求項１乃至３のいずれか１項に記載のユニット式建物における給水設備の設置方法。
【請求項５】
前記ユニット式建物は、戸境壁を挟んで両側に第１住戸と第２住戸とを有し、それら各住戸が互いに異なる建物ユニットにより構築される集合住宅であり、
前記戸境壁は、前記第１住戸側の建物ユニットに前記壁体として設けられる第１壁体と、前記第２住戸側の建物ユニットに前記壁体として設けられ、前記第１壁体に所定間隔を隔てて対向する第２壁体とを有し、それら各壁体は、ユニット内側及びユニット外側となる一対の壁面材をそれぞれ有しており、
前記各壁体におけるユニット内側の各壁面材には、前記戸境壁の厚み方向に見て同じ位置に、水栓取り付け用の孔部がそれぞれ設けられるとともに、同じく各壁体におけるユニット外側の各壁面材には、前記戸境壁の厚み方向に見て異なる位置に、水配管引き出し用の孔部がそれぞれ設けられており、
前記第１工程において、前記水栓取り付け用の孔部に前記水栓を取り付けるとともに、前記水配管引き出し用の孔部から前記水配管を前記壁体の外側に出しておくことを特徴とする請求項１乃至４のいずれか１項に記載のユニット式建物における給水設備の設置方法。
【発明の詳細な説明】
【技術分野】
【０００１】
本発明は、ユニット式建物における給水設備の設置方法に関するものである。
【背景技術】
【０００２】
住宅等の建物において、給水設備には給水用の水栓が含まれており、水栓には水道管などの上水管が水配管を介して接続されている。また、建物に複数の水栓が設けられている場合などには、水配管を介して複数の水栓に接続されたヘッダが床下空間に設置され、上水管からヘッダを介して複数の水栓に給水が行われる（例えば特許文献１）。
【先行技術文献】
【特許文献】
【０００３】
【特許文献１】特開平９−３９９４号公報
【発明の概要】
【発明が解決しようとする課題】
【０００４】
ところで、施工現場での作業工数の低減を実現できる構法として、工場にて製造した建物ユニットを施工現場にて複数組み合わせてユニット式建物を構築するというユニット工法がある。ここで、水配管については、ユニット工法においても施工現場にて水栓やヘッダの設置位置に合わせて敷設し、水栓やヘッダへの接続作業を施工現場にて行うと考えられる。しかしながら、施工現場での作業負担を低減する上では、施工現場における水配管の敷設作業に関して改善の余地がある。
【０００５】
本発明は、建物ユニットに水配管を工場先付けしておくことで施工現場での作業負担を低減するとともに、水配管を工場先付けした状態でも建物ユニットを好適に運搬することを主たる目的とするものである。
【課題を解決するための手段】
【０００６】
以下、上記課題を解決するのに有効な手段等につき、必要に応じて作用、効果等を示しつつ説明する。
【０００７】
第１の発明のユニット式建物における給水設備の設置方法は、大梁及び柱からなる躯体部と、該躯体部に対してそれぞれ固定される壁体、床及び天井とを有し工場にて生産される建物ユニットを用い、該建物ユニットを建物の施工現場に輸送し、該施工現場にて複数の前記建物ユニットにより施工されるユニット式建物について、そのユニット式建物における給水設備の設置方法であって、前記工場において、前記壁体に設けられた孔部に対して該壁体のユニット内側面に給水用の水栓を取り付け、前記水栓と前記ユニット式建物の施工後に床下空間に設置されるヘッダとを接続可能な長さを有する水配管を用い、該水配管の一端側を前記水栓に接続するとともに、同水配管の他端側である自由端を含む配管非固定部を前記壁体の外側に出しておく第１工程と、その後、同じく前記工場において、前記水配管の壁外となっている前記配管非固定部を前記壁体のユニット外側面に仮止めする第２工程と、その後、前記施工現場において、前記仮止めを取り外し、前記水配管の前記自由端を前記ヘッダに連結する第３工程と、を有することを特徴とする。
【０００８】
第１の発明によれば、建物ユニットの壁体に水栓を取り付ける作業や、その水栓に水配管を接続する作業を施工現場において行うという必要がないため、施工現場では、水配管の自由端をヘッダに接続するという容易な作業を行えばよい。しかも、水配管は水栓とヘッダとを接続可能な長さを有しているため、施工現場においては水配管をそのままヘッダに接続すればよい。さらに、水配管の配管非固定部は建物ユニットの壁体のユニット外側面に仮止めされているため、水配管を水栓に接続した状態でも、建物ユニットを工場から施工現場に運搬する際に水配管が運搬の支障となることを回避できる。したがって、建物ユニットに水配管を工場先付けしておくことで施工現場での作業負担を低減できるとともに、水配管を工場先付けした状態でも建物ユニットを好適に運搬することができる。
【０００９】
第２の発明では、前記壁体は、施工後のユニット式建物において、隣り合う建物ユニットの壁体と対向し、該対向面が前記ユニット外側面となるものである。
【００１０】
第２の発明によれば、壁体において水配管に仮止めがなされているユニット外側面は、隣の建物ユニットの壁体と対向しているため、水配管の仮止めが解除されることで壁面の塗装がはがれるなど仮止めの痕跡が残ったとしても、その痕跡を隣の建物ユニットの壁体により覆い隠すことができる。したがって、水配管を壁体に仮止めしておいても、壁体を補修するという手間が施工現場で発生することを回避できる。
【００１１】
第３の発明では、前記壁体は、ユニット内側及びユニット外側となる一対の壁面材と、それら壁面材を連結する下地フレームとを有しており、前記第１工程では、前記下地フレームに対して継手部材を固定するとともに、前記継手部材を介して前記水配管と前記水栓とを接続する。
【００１２】
第３の発明によれば、水栓連結部材により水栓と水配管とを連結する作業、及び水栓連結部材を下地フレームに取り付ける作業が工場で行われるため、施工現場での作業負担を低減できる。しかも、壁体の構築と、水栓連結部材の取り付け作業とを同時に行うことができるため、工場での建物ユニットの製造作業についても作業負担を低減できる。
【００１３】
第４の発明では、前記第１工程では、前記水配管の前記配管非固定部側を、前記壁面材に設けられた挿通孔を挿通させることで前記壁体の外側に出しておくとともに、前記挿通孔の内周面と前記水配管の外周面との隙間を断熱材により塞ぐ。
【００１４】
第４の発明によれば、水配管の貫通部分により壁体の断熱性が低下することを抑制できる。
【００１５】
第５の発明では、前記第２工程では、前記水配管の前記配管非固定部側を粘着テープにより仮止めする。
【００１６】
第５の発明によれば、水配管の配管非固定部を壁体のユニット外側面に仮止めする作業を容易に行うことができる。しかも、仮止めの態様を水配管の長さに合わせて可変とすることができる。
【００１７】
第６の発明では、前記ユニット式建物は、少なくとも地上において各々分割された複数の立ち上げ部からなる基礎の上に据え付けられており、前記複数の立ち上げ部は、前記床下空間の周縁部となる位置に沿って互いに離間した状態で配置されている。
【００１８】
第６の発明によれば、複数の基礎部が例えば基礎ブロックなどにより互いに独立して構成されている場合、隣り合う基礎部の間の離間部分を水配管の敷設スペースとして利用することができる。詳しくは、第３工程において、水配管の配管非固定部を、隣り合う建物ユニットの壁体同士の間などを通してそれら壁体の下方に引き出すとともに、隣り合う基礎部の間を通して床下空間に引き込み、ヘッダに連結することができる。これにより、基礎に水配管を挿通するための挿通孔などを形成するという手間を省くことができる。つまり、施工現場での作業負担をより一層低減できる。
【００１９】
第７の発明では、前記ユニット式建物は、戸境壁を挟んで両側に第１住戸と第２住戸とを有し、それら各住戸が互いに異なる建物ユニットにより構築される集合住宅であり、前記戸境壁は、前記第１住戸側の建物ユニットに前記壁体として設けられる第１壁体と、前記第２住戸側の建物ユニットに前記壁体として設けられ、前記第１壁体に所定間隔を隔てて対向する第２壁体とを有し、それら各壁体は、ユニット内側及びユニット外側となる一対の壁面材をそれぞれ有しており、前記各壁体におけるユニット内側の各壁面材には、前記戸境壁の厚み方向に見て同じ位置に、水栓取り付け用の孔部がそれぞれ設けられるとともに、同じく各壁体におけるユニット外側の各壁面材には、前記戸境壁の厚み方向に見て異なる位置に、水配管引き出し用の孔部がそれぞれ設けられており、前記第１工程において、前記水栓取り付け用の孔部に前記水栓を取り付けるとともに、前記水配管引き出し用の孔部から前記水配管を前記壁体の外側に出しておく。
【００２０】
第７の発明のユニット式建物では、戸境壁を挟んで両側の各住戸について各々の給水設備を集約して配置することが可能となり、当該建物における給水本管（各住戸の給水設備の上流側に設けられる水道本管）の設置等に関して好都合となる。また、上記構成では、住戸境界部を挟んで両側の対称位置に水栓を設けることになるため、各住戸の間取りや流し設備の設置等について設計を行う際にその設計工数を削減できる点で有利となり、例えば設計から施工完了までの工期を短縮したい場合等に好都合となる。つまりこの場合、それら両住戸のうち一方を設計すれば、他方はそれを流用すればよいこととなる。
【００２１】
一方、上記のとおり住戸境界部を挟んで両側の対称位置に水栓を設ける構成では、ユニット式建物の施工に際し、壁体外側に出ている各住戸の水配管同士が互いに干渉することが懸念される。この点、住戸ごとの各壁体におけるユニット外側の各壁面材に、戸境壁の厚み方向に見て異なる位置に水配管引き出し用の孔部を設け、その孔部を用いて水配管の一部を壁体外側に出すようにしているため、各住戸の水配管同士が干渉するといった不都合を抑制できる。
【図面の簡単な説明】
【００２２】
【図１】建物の間取りを示す平面図。
【図２】建物ユニットの構成を示す斜視図。
【図３】水栓周辺の建物の縦断面図。
【図４】給水設備を設置する作業手順を説明するための図。
【図５】壁体の概略正面図。
【発明を実施するための形態】
【００２３】
以下、本発明を具体化した一実施形態を図面に基づいて説明する。本実施形態では、本発明の建物の床構造を、鉄骨ラーメンユニット構法により構築されたユニット式建物において具体化している。図１は建物１０の間取りを示す平面図である。
【００２４】
図１に示すように、建物１０は複数の住戸を１棟で構成した集合住宅とされている。建物１０においては、例えば第１住戸１１ａ及び第２住戸１１ｂが横並びに配置されている。それら住戸１１ａ，１１ｂの境界部には戸境壁１２が設けられており、その戸境壁１２により住戸１１ａ，１１ｂの各住戸内空間が仕切られている。なお、建物１０は、仮設住宅等の仮設建物として使用されるのに適したものとなっている。
【００２５】
各住戸１１ａ，１１ｂにはキッチン１５がそれぞれ設けられており、各キッチン１５は戸境壁１２に隣接する位置に配置されている。キッチン１５には、水回り設備として流し台１６と水栓１７とが設けられている。流し台１６は床面に載置されており、水栓１７は流し台１６の上方において戸境壁１２に取り付けられている。
【００２６】
ここで、第１住戸１１ａと第２住戸１１ｂとは、それら住戸１１ａ，１１ｂの境界線を軸線として互いに線対称に配置された間取りを有しており、住戸１１ａ，１１ｂの各キッチン１５は戸境壁１２を挟んで隣接している。この場合、第１住戸１１ａ及び第２住戸１１ｂの各水栓１７及び流し台１６は、住戸境界線を挟んで両側の対称位置に設けられており、戸境壁１２の厚み方向に重なるように配置されている。
【００２７】
建物１０は複数の建物ユニット２０が連結されることで構築されている。本実施形態では、建物１０において４つの建物ユニット２０が横並びに配置されており、その並び方向において一端側の２つの建物ユニット２０により第１住戸１１ａが構成され、他端側の２つの建物ユニット２０により第２住戸１１ｂが構成されている。なお、隣り合う建物ユニット２０の間のユニット境界線をドッキングラインＤＬとしている。
【００２８】
建物ユニット２０の構成について、図２を参照しつつ説明する。図２は建物ユニット２０の構成を示す斜視図である。
【００２９】
図２に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（フレーム）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３０】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。天井小梁２５に対して天井面材２７が取り付けられており、床小梁２６に対して床面材２８が取り付けられている。
【００３１】
建物１０においては、隣り合う建物ユニット２０同士の各柱２１がドッキングプレート等の連結部材により互いに連結されている。また、図２での図示は省略しているが、建物ユニット２０において、建物外壁部となる部位には、外壁材が取り付けられているとともに、各住戸１１ａ，１１ｂの境界部となる部位には、戸境壁１２を構成する壁体５１が設けられている。なお、壁体５１の詳細は後述する。
【００３２】
本実施形態では、水栓１７を有する給水設備が各住戸１１ａ，１１ｂのそれぞれに設けられている。ここでは、第１住戸１１ａの給水設備について、図３を参照しつつ説明する。図３は水栓１７周辺の建物１０の縦断面図である。なお、図３においては床小梁２６及び流し台１６の図示を省略しているとともに、第２住戸１１ｂの水栓１７及び水配管６１の図示を省略している。
【００３３】
図３に示すように、第１住戸１１ａ及び第２住戸１１ｂのそれぞれにおいて、キッチン１５の下方には床下空間３１が設けられており、キッチン１５と床下空間３１とは床部３２により上下に仕切られている。床部３２は床面材２８を含んで構成されている。床面材２８は、合板やパーティクルボード等により形成されており、根太３５を挟んで床大梁２３及び床小梁（図示略）の上に載置されている。床面材２８の下側には床断熱材３４が設けられている。床断熱材３４は、硬質ウレタンフォームなどの発泡系断熱材により形成されており、床面材２８の下面に沿って延びている。
【００３４】
床大梁２３は、スペーサ４１を介して基礎４２の上に設けられている。基礎４２は建物１０を下方から支持するものであり、建物ユニット２０は基礎４２の上に据え付けられている。基礎４２は、地上において各々分割された複数の基礎ブロック４３により形成されており、これら基礎ブロック４３は、建物ユニット２０の外周面に沿って所定間隔で並べて設けられている。この場合、床下空間３１の周縁部となる位置に基礎ブロック４３が配置されていることになる。なお、基礎ブロック４３が立ち上げ部に相当する。
【００３５】
基礎ブロック４３は、プレキャストコンクリート部材などにより形成されたコンクリートブロックが地上面に載置されたものであり、基礎ブロック４３の載置部分は例えば砕石が敷き詰められた砕石層とされている。各基礎ブロック４３は互いに離間しており、それぞれ独立した構成とされている。なお、本実施形態の基礎４２は、簡易式の基礎構造とされており、仮設住宅等の仮設建物に適したものとなっている。
【００３６】
戸境壁１２は、ドッキングラインＤＬを挟んで対向する一対の壁体５１を有する二重壁とされている。一対の壁体５１のうち一方の壁体５１は、第１住戸１１ａの建物ユニット２０に対して固定されており、第１壁体に相当する。他方の壁体５１は、第２住戸１１ｂの建物ユニット２０に対して固定されており、第２壁体に相当する。各壁体５１は、ユニット内側の壁面を形成する内側面材５２と、ユニット外側の壁面を形成する外側面材５３と、それら内側面材５２と外側面材５３との間に設けられた下地フレーム５４とを有しており、柱２１や天井大梁２２、床大梁２３といった躯体部に対して固定されている。
【００３７】
なお、外側面材５３及び内側面材５２が一対の壁面材に相当する。また、一対の壁体５１のそれぞれにおいて、ユニット外側面が互いに対向する対向面に相当する。
【００３８】
下地フレーム５４は、上下方向に延びる縦フレーム材５４ａと、左右方向に延びる横フレーム材５４ｂとを含んで構成されており、それら縦フレーム材５４ａと横フレーム材５４ｂとは互いに連結されている。縦フレーム材５４ａ及び横フレーム材５４ｂは、それぞれ軽量鉄骨材により形成されている。
【００３９】
内側面材５２及び外側面材５３は、それぞれ２枚重ねの石膏ボードにより形成されている。内側面材５２は下地フレーム５４のユニット内側面に取り付けられており、外側面材５３は下地フレーム５４のユニット外側面に取り付けられている。内側面材５２のユニット内側面には壁紙等が取り付けられており、そのユニット内側面は仕上面とされている。一方、外側面材５３は内側面材５２の下地面材となっており、ユニット外側面は戸境壁１２において露出しないため非仕上面とされている。
【００４０】
なお、図示は省略するが、内側面材５２と外側面材５３との間には断熱層が設けられており、その断熱層によって壁体５１に断熱性が付与されている。
【００４１】
第１住戸１１ａについて、水栓１７は水配管６１を介してヘッダ６２に接続されている。水配管６１は、剛性樹脂材料により形成されたフレキシブル配管やフレキシブルホースなどの可撓管とされている。なお、水配管６１は、可撓性を有していれば金属材料により形成されていてもよい。
【００４２】
ヘッダ６２には、水配管６１に加えて水道管等の上水管６３が接続されており、水道水等の上水が上水管６３からヘッダ６２を介して水配管６１に供給されるようになっている。ヘッダ６２は複数の接続部６２ａを有しており、水配管６１及び上水管６３は接続部６２ａにそれぞれ接続されている。なお、ヘッダ６２には、水配管６１の他にも下流側の配管が接続されており、この場合、ヘッダ６２は上水を複数の供給先に分配することになる。また、上水管６３に温水器が接続されていれば、温水がヘッダ６２を介して水配管６１に供給可能となる。
【００４３】
ヘッダ６２は床下空間３１に設置されており、床下空間３１においては地表面に載置されている。なお、ヘッダ６２は床下空間３１において基礎４２の内側面に対して固定されていてもよい。
【００４４】
水配管６１と水栓１７とは、水栓連結部材としての継手部材６５により連結されている。継手部材６５はエルボ形状とされており、一端を水栓１７が接続される水栓接続口とし、他端を水配管６１が接続される配管接続口としている。継手部材６５は壁体５１の内部に設けられている。具体的には、継手部材６５は、壁体５１において内側面材５２と外側面材５３との間に配置されており、下地フレーム５４の横フレーム材５４ｂに対して取付金具６６により取り付けられている。内側面材５２には水栓取り付け用の孔部７１が設けられており、継手部材６５は、水栓接続口を孔部７１からキッチン１５側に露出させた状態で固定されている。水栓１７は、キッチン１５側から孔部７１を介して継手部材６５の水栓接続口にねじ込まれることで継手部材６５に接続されており、それによって壁体５１に対して固定されている。
【００４５】
壁体５１の外側面材５３には、水配管引き出し用の孔部７２が設けられており、水配管６１における水栓１７とは反対側の自由端が孔部７２から壁体５１のユニット外側に引き出されている。孔部７２は、水栓取り付け用の孔部７１よりも下方に配置されており、孔部７２には、その孔部７２の内周面と水配管６１の外周面との隙間を埋めるための隙間埋め材７３が取り付けられている。隙間埋め材７３は、断熱シートなどの断熱材により形成されており、孔部７２により壁体５１の断熱性が低下することを抑制している。なお、孔部７２が挿通孔に相当する。
【００４６】
ここで、給水設備に関する構成については、第１住戸１１ａと第２住戸１１ｂとでほぼ同じにされているが、水配管引き出し用の孔部７２の配置が異なっている。具体的には、第１住戸１１ａ及び第２住戸１１ｂにおける水配管引き出し用の各孔部７２は、戸境壁１２の厚み方向において異なる位置に設けられている。本実施形態では、第２住戸１１ｂの方が、第１住戸１１ａよりも孔部７２が高い位置に配置されている。この場合、一対の壁体５１の間において、各住戸１１ａ，１１ｂ側から引き出す各水配管６１が互いに干渉するといった不都合を回避できる。
【００４７】
次に、建物１０における給水設備の設置方法について図４、図５を参照しつつ説明する。図４は給水設備を設置する作業手順を説明するための図、図５は壁体５１の概略正面図である。
【００４８】
まず、建物ユニット製造工場などの工場において、図４（ａ）に示すように、壁体５１に水栓１７を取り付けるとともに、その水栓１７に水配管６１を接続する作業を行う。具体的には、壁体５１について、下地フレーム５４に対して内側面材５２を取り付けた後、その内側面材５２に対して水栓取り付け用の孔部７１を形成し、その孔部７１の位置に合わせて継手部材６５を下地フレーム５４に固定するとともに、その継手部材６５に水配管６１の一端を接続する。そして、キッチン１５側から水栓１７を孔部７１を通じて継手部材６５に接続する。また、外側面材５３に水配管引き出し用の孔部７２を形成し、その孔部７２から水配管６１の自由端側をユニット外側に引き出しながら、外側面材５３を下地フレーム５４に対して取り付ける。その後、壁体５１のユニット外側面に対して、孔部７２と水配管６１との隙間を塞ぐように隙間埋め材７３を取り付ける。
【００４９】
上記作業のうち、水配管６１の一端側を水栓１７に接続するとともに、その水配管６１の他端側である自由端を含む配管非固定部を壁体５１のユニット外側に出しておく作業が、第１工程に相当する。第１工程が行われることにより、建物ユニット２０においては、水配管６１における自由端を含む配管非固定部が、壁体５１の孔部７２からユニット外側に露出した状態となる。
【００５０】
なお、水配管６１については、建物構築後のヘッダ６２の設置予定位置に基づいて水栓１７（継手部材６５）とヘッダ６２とを接続可能な長さを算出し、その長さとなるように水配管６１を切断するなどして長さ調整を行っておく。
【００５１】
次に、同じく工場において、図４（ｂ）に示すように、水配管６１におけるユニット外側に出してある配管非固定部を、壁体５１のユニット外側面に対して粘着テープ７４により仮止めする。
【００５２】
具体的には、図５（ａ）に示すように、水配管６１のうち壁外側となる部分（非固定部）を、壁面に沿って蛇行させた状態で折り返し配置し、１又は複数の箇所で粘着テープ７４により仮止めする。また、図５（ｂ）に示すように、水配管６１の非固定部を、壁面に沿って渦巻き状に配置し、１又は複数の箇所で粘着テープ７４により仮止めする。いずれにしても、水配管６１を、壁面上で互いに重なることなく壁面に沿って設けるとよい。これにより、壁外側への水配管６１の張出量が抑えられ、トラック輸送時においてサイズアップにより輸送制限されてしまうという不都合を抑制できる。
【００５３】
なお、水配管６１のうち非固定部を壁体５１のユニット外側面に仮止めする作業が第２工程に相当する。また、粘着テープ７４は、建物ユニット２０の運搬時には壁面から剥がれず、且つ施工現場において水配管６１の仮止めを解除する時には壁面から剥がしやすい程度の粘着力を有している。それよりも粘着力が強い粘着テープ７４については、仮止めを解除する際に、壁面に貼付された部分と水配管６１に貼付された部分とが分離するように、引きちぎれる程度の強度をテープ本体が有していることが好ましい。
【００５４】
その後、図４（ｃ）に示すように、建物ユニット２０をトラック等により施工現場に運搬し、図４（ｄ）に示すように、建物ユニット２０を施工現場にて基礎４２の上に設置する。
【００５５】
建物ユニット２０を設置した後、施工現場において、図４（ｅ）に示すように、粘着テープ７４を取り外して水配管６１の仮止めを解除し、図４（ｆ）に示すように、住戸１１ａ，１１ｂのそれぞれにおいて、ヘッダ６２を床下空間３１に設置するとともに水配管６１の自由端をヘッダ６２に接続する。この場合、水配管６１の配管非固定部については、隣り合う建物ユニット２０の各壁体５１同士の間の隙間（戸境壁１２を形成する一対の壁体５１の間の隙間）、及び基礎ブロック４３同士の離間部分を通して床下空間３１に引き出す。
【００５６】
なお、壁体５１に対する水配管６１の仮止めを取り外し、その水配管６１の自由端をヘッダ６２に連結する作業が第３工程に相当する。
【００５７】
以上詳述した本実施形態によれば、以下の優れた効果が得られる。
【００５８】
建物ユニット２０の壁体５１に水栓１７を取り付ける作業や、その水栓１７に水配管６１を接続する作業が第１工程として工場で行われるため、施工現場では水配管６１をヘッダ６２に接続するという容易な作業を行えばよい。しかも、水配管６１は水栓１７とヘッダ６２とを接続可能な長さを有しているため、施工現場においては、水配管６１の長さ調整を行わずに配管自由端をそのままヘッダ６２に接続すればよい。さらに、水配管６１の配管非固定部を壁体５１のユニット外側面に仮止めする作業が第２工程として工場で行われているため、水配管６１を水栓１７に接続した状態でも、建物ユニット２０を工場から施工現場に運搬する際に水配管６１が運搬の支障となることを回避できる。したがって、建物ユニット２０に水配管６１を工場先付けしておくことで施工現場での作業負担を低減できるとともに、水配管６１を工場先付けした状態でも建物ユニット２０を好適に運搬することができる。
【００５９】
壁体５１において水配管６１の配管非固定部が仮止めされているユニット外側面は、建物構築後においては、戸境壁１２において隣の建物ユニット２０の壁体５１と対向する面であるため、粘着テープ７４を剥がすことで壁面の塗装がはがれるなど仮止めの痕跡が残ったとしても、その痕跡を隣の建物ユニット２０の壁体５１により覆い隠すことができる。これにより、水配管６１を壁体５１に仮止めしておいても、壁体５１を補修するという手間が施工現場で発生することを回避できる。
【００６０】
基礎４２が、互いに離間した複数の基礎ブロック４３により形成されているため、それら基礎ブロック４３の離間部分を通して水配管６１を床下空間３１に敷設することができる。これにより、水配管６１を挿通するための孔を基礎４２に形成するという手間が施工現場で発生することを回避できる。
【００６１】
水配管６１の仮止めが粘着テープ７４により行われるため、水配管６１の長さや径寸法に合わせて仮止めの態様を適宜設定することができる。しかも、単に粘着テープ７４を水配管６１ごと壁体５１に貼り付けるという容易な作業により仮止めを実施できるため、仮止め作業の容易化を図ることができる。
【００６２】
壁体５１において、水配管６１が外側面材５３の孔部７２を通じて壁外に引き出されている部分に対して隙間埋め材７３が取り付けられているため、その孔部７２からゴミや埃などが壁体５１の内部に入ることを防止できる。しかも、隙間埋め材７３が断熱材により形成されているため、孔部７２により壁体５１の気密性や断熱性が低下することを抑制できる。
【００６３】
継手部材６５を介して水配管６１を水栓１７に接続する作業、及び継手部材６５を下地フレーム５４に取り付ける作業が第１工程として工場にて行われるため、施工現場での作業負担を低減できる。しかも、壁体５１の内部に継手部材６５及び水配管６１を設置する作業を工場にてまとめて行うことができるため、工場にて壁体５１を構築した後に施工現場にて壁体５１の内部に継手部材６５及び水配管６１の設置作業を行う場合とは異なり、継手部材６５及び水配管６１を設置する作業自体を容易化できる。このため、施工現場だけでなく、工場においても作業負担を低減できる。
【００６４】
住戸１１ａ，１１ｂの各水栓１７が戸境壁１２に設けられている構成において、戸境壁１２の一対の壁体５１のそれぞれに設けられた水配管引き出し用の孔部７２は、壁厚み方向において異なる位置に設けられているため、住戸１１ａ，１１ｂ側から孔部７２を通じて引き出される各水配管６１が互いに干渉するという不都合を抑制できる。これにより、間取りが線対称とされている一対の住戸１１ａ，１１ｂについて、それぞれの水栓１７を住戸境界線を挟んで重なる位置に配置しても、水配管６１を適正に敷設することができる。
【００６５】
［他の実施形態］
本発明は上記実施形態の記載内容に限定されず、例えば次のように実施されてもよい。
【００６６】
（１）壁体５１に対する水配管６１の仮止めは、粘着テープ７４ではなく他の仮止め部材によりなされてもよい。例えば、壁体５１に引掛フックを取り付け、その引掛フックに水配管６１を引っ掛けることで仮止めとしてもよい。また、紐や締結バンドなどにより水配管６１を壁体５１の一部に対して締結することで仮止めとしてもよい。
【００６７】
（２）上記実施形態では、壁体５１が戸境壁１２を構成する壁構成体とされているが、壁体５１自身が位置の外壁や間仕切壁とされていてもよい。この場合でも、水配管６１を壁体５１のユニット外側面に対して仮止めすることは可能である。ただし、仮止めは、壁体５１における仕上面ではない部分に対してなされることが好ましい。これにより、施工現場において壁体５１の補修作業を行うという手間を省くことができる。
【００６８】
（３）上記実施形態では、水栓１７が継手部材６５を介して壁体５１の下地フレーム５４に固定されていたが、水栓１７は壁体５１の下地フレーム５４に対して直接固定されていてもよい。また、水配管６１は継手部材６５を介さずに水栓１７に対して直接接続されていてもよい。
【００６９】
（４）上記実施形態では、戸境壁１２において住戸１１ａ，１１ｂの各水栓１７が、壁厚み方向において重なる位置に設けられていたが、壁厚み方向において異なる位置に設けられていてもよい。
【００７０】
（５）上記実施形態では、戸境壁１２の一対の壁体５１において、第１住戸１１ａの水配管引き出し用の孔部７２の方が、第２住戸１１ｂの水配管引き出し用の孔部７２よりも高い位置に設けられていたが、低い位置に設けられていてもよい。要はそれら孔部７２が壁厚み方向で異なる位置に設けられていればよい。異なる位置としては、上下方向だけでなく左右方向において異なる位置が挙げられる。
【００７１】
（６）建物１０が複数階建ての場合、上階部の床下空間は、上階部及び下階部の各屋内空間の間に設けられていることになるが、その床下空間にヘッダ６２が設けられていてもよい。この場合でも、上階部を形成する建物ユニット２０について、壁体５１に仮止めしておいた水配管６１をヘッダ６２に接続することが可能となる。
【００７２】
（７）ヘッダ６２に対して壁付きの水栓が複数接続されている場合、それら水栓には、ヘッダ６２に接続される水配管がキッチン１５等の住戸内空間を通じて床下空間３１に敷設されている水栓が含まれていてもよい。この水栓に接続された水配管については、壁体の内壁面に設けられた貫通孔、及び床部３２に設けられた貫通孔を通じて、壁体の内部から床下空間３１に引き出されていることが好ましい。
【００７３】
（８）基礎４２は、床下空間３１の周縁部に沿って延びる連続基礎とされていてもよい。この場合、基礎４２や床大梁２３には、水配管６１を床下空間３１に引き込むための引き込み孔が形成されていることが好ましい。
【符号の説明】
【００７４】
１０…建物、１１ａ…第１住戸、１１ｂ…第２住戸、１２…戸境壁、１７…水栓、２０…建物ユニット、２１…柱、２２…大梁としての天井大梁、２３…大梁としての床大梁、３１…床下空間、４２…基礎、４３…立ち上げ部としての基礎ブロック、５１…第１壁体及び第２壁体を構成する壁体、５２…内側面材、５３…外側面材、５４…下地フレーム、６１…水配管、６２…ヘッダ、６５…継手部材、７１…水栓取り付け用の孔部、７２…挿通孔としての水配管引き出し用の孔部、７３…断熱材としての隙間埋め材、７４…粘着テープ。
【図１】
0005936852.tif 000002
【図２】
0005936852.tif 000003
【図３】
0005936852.tif 000004
【図４】
0005936852.tif 000005
【図５】
0005936852.tif 000006